(57)【要約】【課題】音量レベルに応じて、視聴者の注目度を判断し、視聴者の注目度が低いと判断された場合、映像デコード及び液晶パネル用バックライト制御を行うことにより、消費電力を削減することが可能な映像・音声再生装置を提供する。【解決手段】番組の圧縮映像データ及び圧縮音声データをデコードして、音声データを生成する圧縮音声データデコード部１６ｂと、前記音声データの任意の時間の音量と、閾値とを比較する音声データ処理部１８ａと、前記音声データのうち、前記音声データの前記任意の時間の前記音量が、前記閾値以下の前記音声データに同期する前記圧縮映像データに対して、前記圧縮映像データに応じた第１のデコード処理を施す圧縮映像データデコード部１６ａとを有する。【選択図】図１
2011066571.tif 000002
【特許請求の範囲】
【請求項１】
番組の圧縮映像データ及び圧縮音声データを
デコードして、音声データを生成する圧縮音声データデコード部と、
前記音声データの任意の時間の音量と、閾値とを比較する音声データ処理部と、
前記音声データのうち、前記音声データの前記任意の時間の前記音量が、前記閾値以下の前記音声データに同期する前記圧縮映像データに対して、前記圧縮映像データに応じた第１のデコード処理を施す圧縮映像データデコード部と
を有することを特徴とする映像・音声再生装置。
【請求項２】
前記圧縮映像デコード処理部は、前記音声データのうち、前記音声データの前記任意の時間の前記音量が、前記閾値より高い前記音声データに同期する前記任意の時間の前記圧縮映像データに対して、第２のデコード処理を施すこと
を特徴とする請求項１に記載の映像・音声再生装置。
【請求項３】
前記閾値は、前記番組を受信し始めてからの複数の前記任意の時間の音量の平均値であること
を特徴とする請求項１又は２に記載の映像・音声再生装置。
【請求項４】
前記第１のデコード処理は、前記任意の時間の前記圧縮映像データに応じて、Iピクチャのみをデコードする第１のデコード方式、Iピクチャ又はPピクチャをデコードする第２のデコード方式、Pピクチャのみをデコードする第３のデコード方式、のいずれかの方式を、選択的に前記任意の時間の前記圧縮映像データに施すこと
を特徴とする請求項１乃至３に記載の映像・音声再生装置。
【請求項５】
前記第２のデコード処理は、前記任意の時間の前記圧縮映像データの前記Iピクチャ、前記Pピクチャ、及び前記Bピクチャを全てデコードすること
を特徴とする請求項２乃至４に記載の映像・音声再生装置。
【請求項６】
前記圧縮映像データデコード部は、
前記任意の時間の前記音量が前記閾値以下で、かつ
前記任意の時間直前の前記任意の時間分の前記音量又は、前記任意の時間直前の前記任意の時間分の前記音量を含み連続的に複数の前記任意の時間分の前記音量が、前記閾値以下の場合に、
前記任意の時間の前記音声データに同期する前記圧縮映像データに対して、前記第１のデコード処理を施すこと
を特徴とする請求項１乃至５に記載の映像・音声再生装置。
【請求項７】
前記任意の時間の音量が前記閾値以下の場合、
液晶パネル用バックライトの輝度を通常時より低い輝度に変更する映像表示用パネルバックライト制御部を、
更に有することを特徴とする請求項１乃至７に記載の映像・音声再生装置。
【請求項８】
前記チューナ、前記圧縮音声データデコード部、前記音声データ処理部、前記圧縮映像データデコード部、及び前記映像表示用パネルバックライト制御部に対する制御を司る制御用ホスト部と
を更に有することを特徴とする請求項１乃至６に記載の映像・音声再生装置。
【発明の詳細な説明】
【技術分野】
【０００１】
本発明は、デジタル映像圧縮データ・音声圧縮データをデコードし、映像データ・音声データを再生する映像・音声再生装置に関する。
【背景技術】
【０００２】
従来の映像・音声再生装置で映像を再生する際、映像・音声再生装置に入力された映像圧縮ストリームを全てデコードすることにより、なめらかで動きのある映像表示出力が行われていた。
【０００３】
しかし、この手法では、視聴者が注目しない、或いはあまり重要視しないような、内容にあまり変化が生じない映像や、動きの少ない映像においても映像デコード用プロセッサを常に動作させる必要があるため、プロセッサの使用頻度が高かった。また、液晶ディスプレイ等の表示装置で用いられるバックライトも、視聴中には常時点灯されており、消費電力が多くなるという問題があった。
【０００４】
一方、映像を含まないコンテンツを再生する時は、液晶ディスプレイのバックライトをＯＦＦあるいは減光することにより消費電力を削減する表示装置があった（例えば、特許文献１参照）。しかし、上記手法は、映像を含まないコンテンツに限られていた。
【先行技術文献】
【特許文献】
【０００５】
【特許文献１】特開２００７−１６６３０１号公報
【発明の概要】
【発明が解決しようとする課題】
【０００６】
本発明は、音量レベルに応じて、視聴者の注目度を判断し、視聴者の注目度が低いと判断された場合、映像デコード及び液晶パネル用バックライト制御を行うことにより、消費電力を削減することが可能な映像・音声再生装置を提供することにある。
【課題を解決するための手段】
【０００７】
本発明の一態様によれば、番組の圧縮映像データ及び圧縮音声データを受信するチューナと、前記チューナから送られる前記番組の前記圧縮音声データをデコードして、音声データを生成する圧縮音声データデコード部と、前記音声データの任意の時間の音量と、閾値とを比較する音声データ処理部と、前記音声データのうち、前記音声データの前記任意の時間の前記音量が、前記閾値以下の前記音声データに同期する前記圧縮映像データに対して、前記圧縮映像データに応じた第１のデコード処理を施す圧縮映像データデコード部とを有することを特徴とする映像・音声再生装置が提供される。
【発明の効果】
【０００８】
本発明によれば、音量レベルに応じて、視聴者の注目度を判断し、視聴者の注目度が低いと判断された場合、映像デコード及び液晶パネル用バックライト制御を行うことにより、消費電力を削減することが可能な映像・音声再生装置を提供することが可能になる。
【図面の簡単な説明】
【０００９】
【図１】本発明の実施の形態に係る映像・音声再生装置のシステム構成図である。
【図２】本発明の実施の形態に係るデータの流れを示した詳細な構成図である。
【図３】本発明の実施の形態に係る動作フロー図である。
【図４】本発明の実施の形態に係る音声データ概念図である。
【図５】本発明の実施の形態に係る動作フロー図である。
【図６】本発明の実施の形態の動作フローのプロファイルとフラグ値との関係の概念図である。
【図７】本発明の実施の形態に係る動作フロー図である。
【図８】本発明の実施の形態に係る動作フロー図である。
【図９】本発明の実施の形態に係る、プロファイル、フラグ値、音声データの出力波形、液晶パネル用バックライトの点灯輝度、圧縮映像データ、及び圧縮映像データデコード手段の状態の関係の概念図である。
【発明を実施するための形態】
【００１０】
以下、本発明の実施例について図面を参照して説明する。なお、図中、同一または相当部分には同一の符号を付して、その説明は繰り返さない。
【００１１】
（実施の形態）
まず、本実施の形態の映像・音声再生装置１０の構成について、図１を参照して説明する。
【００１２】
本実施の形態の映像・音声再生装置１０は、アンテナ１を介してテレビ番組などのデータ（番組のストリーム）を受信するチューナ１１と、チューナ１１、映像入力端子１２、及び音声入力端子１３から適宜圧縮音声データや圧縮映像データが入力され、これらの圧縮音声データや圧縮映像データをデコードする入力データ処理プロセッサ１６と、視聴者が映像・音声再生装置１０の再生開始／停止などをリモコン操作した信号を受信するリモコン信号受信部１４と、視聴者が映像・音声再生装置１０の再生開始／停止などを直接操作をする操作部１５と、映像表示用液晶パネル２４、映像出力端子２５、スピーカ２６、音声出力端子２７などに出力するための映像データや音声データを記憶する記憶部１９と、記憶部１９に記憶された映像データや音声データに後述する種々の処理を施す映像データ処理プロセッサ１７、音声データ処理プロセッサ１８と、音声データ処理プロセッサ１８からの音声データをＤ／Ａ変換したり、増幅したりしてスピーカ２６に出力するＤＡＣ＆アンプ部２０と、液晶パネル用バックライト２３のバックライトの点灯状態を制御する映像表示用パネルバックライト制御部２１と、高画質化のための画質改善フィルタ処理などを行う映像表示用バックエンド処理プロセッサ２２、上記各プロセッサや映像表示用パネルバックライト制御部２１などの制御を司る制御用ホストプロセッサ１００とから構成される。
【００１３】
次に、本実施の形態の構成と、基本的な動作とデータの流れについて、図２を参照して説明する。
【００１４】
映像・音声再生装置１０は、アンテナ１、映像入力端子１２、及び音声入力端子１３からそれぞれ圧縮映像データ、圧縮音声データが入力可能になっており、入力された圧縮映像データは、入力データ処理プロセッサ１６が有する圧縮映像デコード手段１６ａに、圧縮音声データは、入力データ処理プロセッサ１６が有する音声デコード手段１６ｂに、それぞれ入力される。
【００１５】
圧縮映像デコード手段１６ａは、デコード処理よって映像データを生成し、その映像データを記憶部１９の出力用映像データ格納領域１９ａに格納する。また、音声デコード手段１６ｂは、デコード処理によって音声データを生成し、その音声データを記憶部１９ｂに格納する。
【００１６】
格納された映像データは、映像表示用バックエンド処理プロセッサ２２が有する映像表示用バックエンド処理手段２２ａによって記憶部１９から取り出され、そして後述する種々の映像処理が施され、映像表示用液晶パネル２６に表示される。
【００１７】
また、格納された音声データは、音声処理プロセッサ１８が有する音声データ処理手段１８ａによって記憶部１９から取り出され、そして後述する種々の音声処理が施され、ＤＡＣ／アンプ部２０を介してスピーカ２６から音声として出力される。
【００１８】
ここで、圧縮映像データは、Ｉピクチャ（Ｉｎｔｒａ−Ｐｉｃｔｕｒｅ）、Ｐピクチャ（Ｐｒｅｄｉｃｔｉｖｅ−Ｐｉｃｔｕｒｅ），Ｂピクチャ（Ｂｉ−ｄｉｒｅｃｔｉｏｎａｌｌｙ  ｐｅｒｄｉｃｔｉｖｅ−Ｐｉｃｔｕｒｅ）から構成され、Ｉ、Ｐ、Ｂピクチャのいずれかのデータが映像デコードに使用される。Ｉピクチャとは、他のフレーム画像との依存関係がなく、単独でデコードするだけで完全なフレーム画像を復元することが可能なデータのことをいい、Ｐピクチャとは、以前のフレーム画像データから予測されるデータ差分情報をエンコードしたデータのことをいい、Ｂピクチャとは、前方／後方参照符号化されたフレーム画像データであり、以前のフレームと今後到着するフレームから予測されるデータ差分情報をエンコードしたデータのことをいう。Ｐピクチャ、Ｂピクチャは共に、それ自身では単独でデコードできず、これらのデータだけでは期待される映像を完全に復元することはできない。映像を完全に復元するためには、最も近い以前のＩピクチャからデコードを開始する必要がある。
【００１９】
次に、本実施の形態の音声処理（デコード・プロファイル生成）の詳細動作フローについて、図２の詳細システム構成図、図３のフローチャート、及び図４の音声データ概念図を参照して説明する。
【００２０】
まず、ステップＳ１で圧縮音声データをチューナ１１から入力データ処理プロセッサ１６の圧縮音声データデコード手段１６ｂに取り込む。ここで、取り込む圧縮音声データは、例えば２１．３ｍｓ分の圧縮音声データである。次にステップＳ２で、この取り込んだ圧縮音声データを圧縮音声データデコード手段１６ｂがデコードして音声データを生成し、その音声データを出力用音声データ格納領域１９ｂに格納する。そして、ステップＳ３で音声処理手段１８ａは、その音声データを出力用音声データ格納領域１９ｂから取り出し、音量レベル平均値を算出する。具体的には、例えば２１．３ｍｓ分の音声データの音量レベル平均値を算出する。
【００２１】
本動作フローでは、この音量レベル平均値の算出を任意の時間（例えば５秒間）内で繰り返し行うことで、この任意の時間毎のプロファイルを生成する。この任意の時間をプロファイル生成時間という。更に、本実施の形態において、圧縮音声データは、音声や映像を出力するタイミングよりもプロファイル生成時間前（例えば5秒前）には受信しているものとする。そして、まず圧縮音声データに対して以降に詳述する種々の処理を施し、その結果を踏まえ、音声や映像の出力、及び液晶パネル用バックライト２３の制御などを行う。
【００２２】
次に、ステップＳ４で音声処理手段１８ａは、プロファイル生成時間を経過したか否かを判断し、まだプロファイル生成時間を経過していない場合はステップＳ５で、今回デコードした音声データの音量レベル平均値と、更に、前回までにデコードした音声データがあれば、その音声データの音量レベル平均値とを合算した平均値を、一時プロファイルとして一時プロファイル格納領域１８ｂに格納する。一方、前回までにデコードした音声データがなければ、今回デコードした音声データのみを一時プロファイルとして一時プロファイル格納領域１８ｂに格納する。そして、ステップＳ１に戻り、次の圧縮音声データを取り込み、以降ステップＳ２からステップＳ５までのステップをプロファイル生成時間が経過するまで繰り返す。
【００２３】
そして、音声処理手段１８ａは、プロファイル生成時間を経過した場合は、ステップＳ６で前回までに一時プロファイル格納領域１８ｂに格納した一時プロファイル、つまりプロファイル生成時間分の一時プロファイルを、一つのまとまったプロファイルとしてプロファイル格納領域１８ｃに格納する。そして、今回の音声データの音量レベル平均値を、新たに一時プロファイルとして一時プロファイル格納領域１８ｂに格納する。
【００２４】
次に、ステップＳ７で音声処理手段１８ａは、今回格納したプロファイルと、前回までに格納したプロファイルがあれば、そのプロファイルとを合算した平均値を、番組の音量レベル平均値として算出し、ステップＳ８で、この番組の音量レベル平均値、音声データ及び、プロファイル格納領域１８ｃに格納済のプロファイルを、出力用音声データ格納領域１９ｃに格納する。これらの３つの情報は番組視聴中に絶えず更新され格納される。
【００２５】
ここで、プロファイル及び、番組の音量レベル平均値とは、例えばプロファイル生成時間が５秒間の場合、以下の式（１）、（２）に示すとおりであり、その概念図を図４に示す。
【００２６】
プロファイル＝５秒間分の音量レベル平均値
＝ｓｉｇｍａ｛一時プロファイル（例えば２１．３ｍｓ毎）の音量レベル平均値｝
／５秒間に含まれる圧縮音声フレーム数                    （１）
番組の音量レベル平均値＝受信開始以降のプロファイルの平均値
＝ｓｉｇｍａ｛受信開始以降のプロファイル｝
／受信開始以降のプロファイル数          （２）
そして、ステップＳ９で制御用ホストプロセッサ１００は、番組が終了したか否かを判断し、番組終了であれば、音声処理手段１８ａに本音声処理（デコード・プロファイル生成）は終了させ、まだ終了していなければステップＳ１に戻り以上の各ステップを番組が終了するまで繰り返させる。
【００２７】
なお、番組終了とは、例えば、制御用ホストプロセッサ１００が圧縮映像データ又は圧縮音声データ等の番組のデータに付加される番組終了の信号の有無を判断することで行う。
【００２８】
また、ステップＳ９の判断は、番組終了の他、視聴者による本映像・音声再生装置の再生停止操作に基づくものでもよい。その際、視聴者による停止操作の信号は、リモコン信号受信部14又は操作部１５から入力され制御用ホストプロセッサ１００に通知される。
【００２９】
次に、出力用音声データ格納領域１９ｃに格納された３つの情報を確認することで、視聴者の注目度を判断する処理の詳細動作フローについて図５を参照して説明する。
【００３０】
まず、ステップS２０で出力用音声データ格納領域１９ｃから、最近格納されたプロファイル及び、受信開始以降のプロファイルの音量レベル平均値を取得する 。この、受信開始以降のプロファイルの音量レベル平均値を閾値とする。
【００３１】
次に、ステップS２１で、閾値とプロファイルとを比較して、プロファイルが閾値よりも高いと判断された場合は、ステップS２２で、フラグ格納領域１８ｄの、注目度を判断するフラグ値（以降フラグ値とする）に例えば２という値を設定し、ステップS２５で番組終了か否かを判断し、番組終了であれば、本音声処理（注目度判断）を終了し、まだ番組が終了していなければステップＳ２０に戻る。なお、本映像・音声再生装置の出荷時には記録フラグ及び再生フラグはセットされていなくてもよい。
【００３２】
一方、ステップＳ２１でプロファイルが閾値以下と判断された場合は、ステップＳ２３で、本プロファイルの直前のプロファイルを含み連続的に複数（例えば２つ。以降、連続数とする。）のプロファイルにおいても、閾値以下か否かを判断し、閾値以下であれば、ステップS２４でフラグ値に−1を演算し、ステップS２５で番組終了か否かを判断し、番組終了であれば、本音声処理（注目度判断）を終了し、まだ番組が終了していなければステップS２０に戻る。
【００３３】
一方、番組の音量レベル以下でなければ、フラグ値に何も演算せずにステップS２５で番組終了か否かを判断し、番組終了であれば、本音声処理（注目度判断）を終了し、まだ番組が終了していなければステップS２０に戻る。
【００３４】
以上の各ステップを番組が終了するまで繰り返す。
【００３５】
なお、注目度が高いと判断された場合のフラグ値の設定値は２に限らない。また、注目度が低いと判断された場合のフラグ値の演算値も−1とは限らず、それぞれ適宜設定してよい。また、フラグ値の初期値も任意である。
【００３６】
次に、上記動作フローのプロファイルとフラグ値との関係の概念図を図６に示す。なお、図６において、上記ステップＳ２３の連続数は２とする。
【００３７】
まず、時間Ｔ１における注目度判断対象プロファイルが、閾値より高いプロファイルＰ１であるため、フラグ値に２を設定する。次に、時間Ｔ２における注目度判断対象プロファイルは、閾値より低いプロファイルＰ２であるが、その直前のプロファイルがＰ１であるのでフラグ値は２を維持している。更に、時間Ｔ３における注目度判断対象プロファイルもＰ２であるが、２つ前のプロファイルがＰ１なのでフラグ値は２を維持している。
【００３８】
次に、時間Ｔ４における注目度判断対象プロファイルはＰ２であり、かつ、直前のプロファイルを含み連続的に２つのプロファイルが共にＰ２であるので、フラグ値に−１を演算する。その結果、フラグ値は１となる。更に、時間Ｔ５における注目度判断対象プロファイルもＰ２であるので同様にフラグ値に−１を演算し、フラグ値は０となる。時間Ｔ６においても同様であり、フラグ値は−１となる。
【００３９】
次に、時間Ｔ７における注目度判断対象プロファイルはＰ１であるので、フラグ値は２に設定される。時間Ｔ８においても同様であるのでフラグ値は２を維持する。
【００４０】
ここで、例えば、フラグ値が１以上の時間帯は注目度が高い時間帯とした場合、時間Ｔ１からＴ４及び、時間Ｔ７、Ｔ８はフラグ値が１以上であるので、これらの時間帯は注目度が高い時間帯となり、時間Ｔ５、Ｔ６はフラグ値が１未満であるので、これらの時間帯は注目度が低い時間帯となる。なお、注目度が高い時間帯と判断するためのフラグ値は、１以上とは限らず、適宜設定してよい。
【００４１】
次に、上記動作によりフラグ値が設定された後の、映像処理の詳細動作フローについて、図７及び８を参照して説明する。
【００４２】
まず、ステップＳ３０で、入力データ処理プロセッサ１６は圧縮映像データをチューナ１１から圧縮映像データデコード手段１６ａに取り込む。次に、ステップＳ３１で、制御用ホストプロセッサ１００がフラグ格納領域１８ｄのフラグ値を確認し、フラグ値が１以上であれば、ステップＳ３２で、制御用ホストプロセッサ１００は、圧縮映像データデコード手段１６ａに、ステップＳ３０で取り込んだ圧縮映像データのＩ／Ｐ／Ｂピクチャを全てデコードさせる。そして、ステップＳ３３で、制御用ホストプロセッサ１００は、映像表示用パネルバックライト制御回路２１に、液晶パネル用バックライト２３を通常の輝度で点灯制御させる。ここで、通常の輝度とは、例えば、４５０〜５５０ｃｄ／ｍ２（カンデラ／平方メートル）。
【００４３】
次に、ステップＳ３４で、圧縮映像デコード手段１６ａは、ステップＳ３２でデコードした映像データを出力用映像データ格納領域１９ａに格納する。そして、ステップＳ３５で、制御用ホストプロセッサ１００は、番組終了か否かを判断し、終了であれば本映像処理を終了し、終了でなければ再度ステップＳ３０に戻り、入力データ処理プロセッサ１６に次の圧縮映像データを取り込ませる。
【００４４】
一方、ステップＳ３１で、フラグ値が１以上でない場合は、ステップＳ３６で、制御用ホストプロセッサ１００は、圧縮映像データデコード手段１６ａに、ステップＳ３０で取り込んだ圧縮映像データに対して、圧縮映像データに基づいたデコード方式でデコードさせる。この圧縮映像データに基づいたデコード方式の確認手段の詳細については、図９を参照して後述する。更に、ステップＳ３７で、制御用ホストプロセッサ１００は、映像表示用パネルバックライト制御回路２１に、液晶パネル用バックライト２３を通常よりも低い輝度で点灯制御させる。そして、上記同様に、ステップＳ３４でデコードした映像データを格納し、ステップＳ３５で番組終了か否かを判断する。
【００４５】
次に、上記ステップＳ３６におけるデコード方式の確認手段の詳細について図９を参照して説明する。
【００４６】
まず、ステップＳ４０で、圧縮映像データデコード手段１６ａは、圧縮映像データのＩ／Ｐ／Ｂピクチャの到着数をカウントし、ステップＳ４１で、映像ピクチャ確認時間（例えば５秒間）を経過したか否かを判断する。ここで、映像ピクチャ確認時間とは、上述したプロファイル生成時間と同じ時間（例えば５秒間）であり、当該映像ピクチャ確認時間の圧縮映像データは、当該プロファイル生成時間の圧縮音声データと同期を取ったデータである。
【００４７】
ステップS４１の判断の結果、映像ピクチャ確認時間を経過していれば、圧縮映像データデコード手段１６ａは、ステップＳ４２で当該圧縮映像データにＩピクチャが含まれているか否かを判断する。そして、含まれていれば、ステップＳ４３で当該映像ピクチャ確認時間の１つ前（以降前回とする）の映像ピクチャ確認時間の圧縮映像データにおいてもIピクチャが含まれているか否かを判断し、含まれていれば、つまり、２回の映像ピクチャ確認時間で連続してIピクチャが含まれていれば、ステップS４４でIピクチャのみをデコードする。これをデコード方式１とする。そして、ステップS４５で、圧縮映像データデコード手段１６ａは、当該映像ピクチャ確認時間におけるＩ／Ｐ／Ｂピクチャのカウント結果を、カウント結果格納領域１６ｂに格納し、本圧縮映像データに基づくデコードを終了する。なお、カウント結果格納領域は記憶部１９に設けられてもかまわない。
【００４８】
一方、ステップS４２で、Iピクチャが含まれていないと判断された場合は、ステップS４６で、前回の映像ピクチャ確認時間の圧縮映像データにＩピクチャが含まれているか否かを判断し、含まれている場合、又はステップS４２で、Iピクチャが含まれていると判断されたが、ステップＳ４３で前回の映像ピクチャ確認時間の圧縮映像データにＩピクチャは含まれていないと判断された場合、つまり、映像ピクチャ確認時間毎に、連続してＩピクチャが含まれていない場合、ステップＳ４７でＩピクチャ又はＰピクチャとデコードする。言い換えれば、Iピクチャが含まれていればIピクチャをデコードし、Iピクチャが含まれていなければPピクチャをデコードする。これを、デコード方式２とする。そして、上記同様に、ステップＳ４５で当該映像ピクチャ確認時間におけるＩ／Ｐ／Ｂピクチャのカウント結果を、カウント結果格納領域１６ｂに格納し、本圧縮映像データに基づくデコードを終了する。
【００４９】
また、ステップＳ４６で、前回の映像ピクチャ確認時間の圧縮映像データにＩピクチャが含まれていないと判断された場合は、ステップＳ４７で、Ｐピクチャのみをデコードする。これを、デコード方式３とする。そして、上記同様に、ステップＳ４５で当該映像ピクチャ確認時間におけるＩ／Ｐ／Ｂピクチャのカウント結果を、カウント結果格納領域１６ｂに格納し、本圧縮映像データに基づくデコードを終了する。
【００５０】
次に、図９に、プロファイル、フラグ値、音声データの出力波形、液晶パネル用バックライト２３の点灯輝度、圧縮映像データ、及び圧縮映像データデコード手段１６ａの状態の関係を示す。図９において、フラグ値の初期値は０とする。
【００５１】
まず、上述したように、圧縮音声データは、音声や映像を出力するタイミングよりもプロファイル生成時間前（例えば5秒前）には受信しているので、まず、時間ｔ１で圧縮音声データを受信開始し、かつプロファイルの生成を開始する。
【００５２】
ｔ１〜ｔ２間、ｔ２〜ｔ３間、ｔ３〜ｔ４間のプロファイルはＰ２であり、対応するフラグ値は、初期値が０なので、順次、０、−１、−２となる。なお、図５のステップＳ２３における連続数を１とする。
【００５３】
そして、これらのフラグ値を踏まえ、液晶パネル用バックライト２３の輝度は、ｔ２〜ｔ３間、ｔ３〜ｔ４間、ｔ４〜ｔ５間において低くなる。
【００５４】
この間の圧縮映像データは、ｔ２〜ｔ３間及びｔ３〜ｔ４間ではＩピクチャがそれぞれ存在するので、ｔ２〜ｔ４間の圧縮映像データはデコード方式１でデコードされる。具体的には、ｔ２〜ｔ３間ではＩピクチャが１つ存在するのでそのＩピクチャがデコードされ、ｔ３〜ｔ４間ではＩピクチャが２つ存在するのでその２つのＩピクチャがそれぞれデコードされる。ｔ４〜ｔ５間では、Ｉピクチャは存在しないが、直前のｔ３〜ｔ４間にＩピクチャが存在するので、デコード方式２でデコードされる。具体的には、Ｐピクチャが１つ存在するのでそのＰピクチャがデコードされる。
【００５５】
次に、ｔ４〜ｔ５間のプロファイルはＰ１であるので、対応するフラグ値は２になる。続いて、ｔ５〜ｔ６間のプロファイルはＰ２であるが、ｔ４〜ｔ５間のプロファイルがＰ１であるのでｔ５〜ｔ６間のフラグ値は２のままである。そして、ｔ６〜ｔ７間のプロファイルはＰ２であり、かつ、図５のステップＳ２３における連続数が１であるので、ｔ６〜ｔ７間のフラグ値は１になる。
【００５６】
そして、これらのフラグ値を踏まえ、液晶パネル用バックライト２３の輝度は、ｔ５〜ｔ６間及びｔ６〜ｔ７間において通常の輝度になり、ｔ７〜ｔ８間において低くなる。
【００５７】
この間の圧縮映像データは、ｔ５〜ｔ６間及びｔ６〜ｔ７間においてはいずれもフラグ値が１以上なのでＩ／Ｐ／Ｂピクチャが全てデコードされる。ｔ７〜ｔ８間では、フラグ値が１未満で、かつ、当該ｔ７〜ｔ８間の圧縮映像データにも直前のｔ６〜ｔ７間の圧縮データにもＩピクチャが存在しないので、デコード方式３でデコードされる。具体的には、Ｐピクチャが２つ存在するのでその２つのＰピクチャがそれぞれデコードされる。以降、順次ｔ１５まで処理される。
【００５８】
本実施形態によれば、音量レベルに応じて、視聴者の注目度を判断し、視聴者の注目度が低いと判断された場合、つまり音量レベルが低い場合には映像デコード、更に液晶パネル用バックライトを制御することにより、消費電力を削減することが可能な映像・音声再生装置を提供することが可能になる。また、逆に、注目度が高いと判断された場合は、期待される映像や音声を完全に出力し、かつ、同時に液晶パネル用バックライトの制御も行い、輝度を通常に戻すことができる。また、音量レベルを判断するプロファイルの直前を含む複数のプロファイルの状態も加味してフラグ値を演算することにより、プロファイルが番組の平均音量レベル以下になってからも、しばらく注目度が高いと判断された状態を継続させることができるので、視聴者が、注目度の高いシーンの直後の余韻が残るシーンを見逃すことを少なくすることができる。
【００５９】
なお、本発明は以上の実施の形態に限られるものではない。
【００６０】
例えば、映像表示用バックエンド処理プロセッサ２２の映像表示用バックエンド処理手段２２ａにおいて、フラグ値が例えば１未満のときは、高画質化のための画質改善フィルタ処理などを行わず、フラグ値が例えば１以上のときにのみ、画質改善フィルタ処理などを行ってもよい。これにより、常時高画質化のための処理を行う必要がないので、更に消費電力を削減することが可能となる。
【００６１】
また、圧縮映像データデコード手段１６ａにおいて、上述の実施の形態のようにデコード対象のピクチャを変更する代わりに、フラグ値が例えば１未満のときは映像データ処理プロセッサのシステムクロック速度を低下させたり、圧縮映像データを間引いたりすること個により映像データ処理プロセッサの消費電力を削減することが可能となる。
【００６２】
また、映像表示用液晶パネル２４には限らない。プラズマディスプレイでも構わないし、他の表示デバイスでも構わない。その際、バックライトが不要のディスプレイの場合は、映像表示用パネルバックライト制御部２１や、液晶パネル用バックライト２３は不要である。
【００６３】
また、図１において、アンテナ１、音声入力端子１３、映像入力端子１２、操作部１５、液晶パネル用バックライト２３、映像表示用液晶パネル２４、映像出力端子２５、スピーカ２６、及び音声出力端子２７は、映像・音声再生装置１０内に含まれていないが、この限りではない。これらを適宜映像・音声再生装置１０に含めてもよい。
【符号の説明】
【００６４】
１  アンテナ
１０  映像・音声再生装置
１１  チューナ
１２  映像入力端子
１３  音声入力端子
１４  リモコン信号受信部
１５  操作部
１６  入力データ処理プロセッサ
１６ａ  圧縮映像データデコード手段
１６ｂ  圧縮音声データデコード手段
１７  映像データ処理プロセッサ１７
１７ａ  映像データ処理手段
１８  音声データ処理プロセッサ
１８ａ  音声データ処理手段
１８ｂ  一時プロファイル格納領域
１８ｃ  プロファイル格納領域
１８ｄ  フラグ格納領域
１９  記憶部
１９ａ  出力用映像データ格納領域
１９ｂ、１９ｃ  出力用音声データ格納領域
２０  ＤＡＣ＆アンプ部
２１  映像表示用パネルバックライト制御部
２１ａ  映像表示用パネルバックライト制御手段
２２  映像表示用バックエンド処理プロセッサ
２２ａ  映像表示用バックエンド処理手段
２３  液晶パネル用バックライト
２４  映像表示用液晶パネル
２５  映像出力端子
２６  スピーカ
２７  音声出力端子
【図１】
2011066571.tif 000003
【図２】
2011066571.tif 000004
【図３】
2011066571.tif 000005
【図４】
2011066571.tif 000006
【図５】
2011066571.tif 000007
【図６】
2011066571.tif 000008
【図７】
2011066571.tif 000009
【図８】
2011066571.tif 000010
【図９】
2011066571.tif 000011